(57)【要約】【課題】催し物における現金管理をスタンドアローンで実現する。【解決手段】認証情報の入力操作および催し物に関する情報の設定操作を含む登録操作が行われる操作部と、前記催し物に関する情報を含む運用待ち受け画面を表示する表示部と、現金が投入される現金投入口と、前記現金投入口に投入された前記現金を収納する収納庫と、前記登録操作において入力された前記認証情報と整合する認証情報が入力されたことに基づき、前記運用待ち受け画面と関連付けて投入されて前記収納庫に収納された現金の回収処理を制御する制御部と、を備え、スタンドアローンで動作する、現金処理装置。【選択図】図２
2019096203.tif 000002
【特許請求の範囲】
【請求項１】
認証情報の入力操作および催し物に関する情報の設定操作を含む登録操作が行われる操作部と、
前記催し物に関する情報を含む運用待ち受け画面を表示する表示部と、
現金が投入される現金投入口と、
前記現金投入口に投入された前記現金を収納する収納庫と、
前記登録操作において入力された前記認証情報と整合する認証情報が入力されたことに基づき、前記運用待ち受け画面と関連付けて投入されて前記収納庫に収納された現金の回収処理を制御する制御部と、
を備え、
スタンドアローンで動作する、現金処理装置。
【請求項２】
前記設定操作は、前記催し物の種別を選択する選択操作、および文字入力操作を含み、
前記運用待ち受け画面は、前記選択操作により選択された前記催し物の種別に対応する表示、および前記文字入力操作により入力された文字を含む、請求項１に記載の現金処理装置。
【請求項３】
前記現金処理装置は、前記現金投入口への現金の投入に基づく入金金額の表示を含む入金証を印刷する印刷部をさらに備える、請求項１または２に記載の現金処理装置。
【請求項４】
前記制御部は、前記入金証の扱いを案内する案内画面を前記表示部に表示させる、請求項３に記載の現金処理装置。
【請求項５】
前記案内画面は、前記入金証を現金収納袋と併せて受付に渡すことを案内する表示を含む、請求項４に記載の現金処理装置。
【請求項６】
前記制御部は、前記登録操作において入力された前記認証情報と整合する認証情報が入力されたことに基づき、前記現金の入金の履歴を示す履歴情報を前記印刷部に印刷させる、請求項３〜５のいずれか一項に記載の現金処理装置。
【請求項７】
前記操作部には、金額を指定する金額指定操作が行われ、
前記制御部は、前記現金投入口に投入された前記現金の金額が前記金額指定操作で指定された金額を上回る場合、前記現金投入口に投入された前記現金の金額と前記金額指定操作で指定された金額との差分に相当する釣銭の出金を制御する、請求項１〜６のいずれか一項に記載の現金処理装置。
【請求項８】
前記現金投入口は、紙幣の投入口および硬貨の投入口を含み、
前記収納庫は、前記紙幣の収納庫および前記硬貨の収納庫を含む、請求項１〜７のいずれか一項に記載の現金処理装置。
【発明の詳細な説明】
【技術分野】
【０００１】
本発明は、現金処理装置に関する。
【背景技術】
【０００２】
従来、結婚式、披露宴、葬儀、集会および飲食会などの催し物では、催し物への参加者が主催者側に現金を渡し、主催者側が現金を管理することが慣習的に行われている。例えば、結婚式においては、お祝い金が封入された祝儀袋を参列者が受付に渡し、受付が当該祝儀袋を管理する。また、飲食会においては、参加者が会費を幹事に渡し、幹事が会費を管理する。
【０００３】
上述した受付および幹事は専門の従事者でなく、一般の人であることが多い。このため、現金の集計および現金管理が困難であり、金額の不一致、盗難および紛失などのリスクがある。この点に関し、特許文献１には、催し物の会場にＡＴＭを設置して、当該ＡＴＭに参加者がお祝い金または会費などの現金を入金することが開示されている。
【先行技術文献】
【特許文献】
【０００４】
【特許文献１】特開２０１０−２７７５２３号公報
【発明の概要】
【発明が解決しようとする課題】
【０００５】
しかし、特許文献１に記載の技術で用いられるＡＴＭは大型かつ高額である。また、特許文献１に記載の技術では、現金振込先となる口座、および金融機関の介在が必要になるという問題もある。
【０００６】
そこで、本発明は、上記問題に鑑みてなされたものであり、本発明の目的とするところは、催し物における現金管理をスタンドアローンで実現することが可能な、新規かつ改良された現金処理装置を提供することにある。
【課題を解決するための手段】
【０００７】
上記課題を解決するために、本発明のある観点によれば、認証情報の入力操作および催し物に関する情報の設定操作を含む登録操作が行われる操作部と、前記催し物に関する情報を含む運用待ち受け画面を表示する表示部と、現金が投入される現金投入口と、前記現金投入口に投入された前記現金を収納する収納庫と、前記登録操作において入力された前記認証情報と整合する認証情報が入力されたことに基づき、前記運用待ち受け画面と関連付けて投入されて前記収納庫に収納された現金の回収処理を制御する制御部と、を備え、スタンドアローンで動作する、現金処理装置が提供される。
【０００８】
前記設定操作は、前記催し物の種別を選択する選択操作、および文字入力操作を含み、
前記運用待ち受け画面は、前記選択操作により選択された前記催し物の種別に対応する表示、および前記文字入力操作により入力された文字を含んでもよい。
【０００９】
前記現金処理装置は、前記現金投入口への現金の投入に基づく入金金額の表示を含む入金証を印刷する印刷部をさらに備えてもよい。
【００１０】
前記制御部は、前記入金証の扱いを案内する案内画面を前記表示部に表示させてもよい。
【００１１】
前記案内画面は、前記入金証を現金収納袋と併せて受付に渡すことを案内する表示を含んでもよい。
【００１２】
前記制御部は、前記登録操作において入力された前記認証情報と整合する認証情報が入力されたことに基づき、前記現金の入金の履歴を示す履歴情報を前記印刷部に印刷させてもよい。
【００１３】
前記操作部には、金額を指定する金額指定操作が行われ、前記制御部は、前記現金投入口に投入された前記現金の金額が前記金額指定操作で指定された金額を上回る場合、前記現金投入口に投入された前記現金の金額と前記金額指定操作で指定された金額との差分に相当する釣銭の出金を制御してもよい。
【００１４】
前記現金投入口は、紙幣の投入口および硬貨の投入口を含み、前記収納庫は、前記紙幣の収納庫および前記硬貨の収納庫を含んでもよい。
【発明の効果】
【００１５】
以上説明した本発明による現金処理装置は、催し物における現金管理をスタンドアローンで実現することが可能である。
【図面の簡単な説明】
【００１６】
【図１】本発明の第１の実施形態による現金処理装置の外観を示す説明図である。
【図２】本発明の第１の実施形態による現金処理装置の構成を示す説明図である。
【図３】本発明の第１の実施形態による現金処理装置の動作を示すフローチャートである。
【図４】登録機能を示すフローチャートである。
【図５】運用機能を示すフローチャートである。
【図６】運用待ち受け画面の具体例である。
【図７】入金確認画面の具体例である。
【図８】案内画面の具体例である。
【図９】履歴印刷機能を示すフローチャートである。
【図１０】入金の履歴情報の具体例を示す説明図である。
【図１１】履歴出力機能を示すフローチャートである。
【図１２】回収機能を示すフローチャートである。
【図１３】変形例による運用機能を示すフローチャートである。
【図１４】本発明の第２の実施形態による現金処理装置の外観を示す説明図である。
【図１５】本発明の第２の実施形態による現金処理装置の構成を示す説明図である。
【発明を実施するための形態】
【００１７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００１９】
＜１．第１の実施形態＞
本発明の第１の実施形態による現金処理装置は、結婚式、披露宴、葬儀、集会および飲食会などの催し物の会場に設けられ、催し物への参加者が現金を入金するために用いられる。まず、図１および図２を参照し、このような本発明の第１の実施形態による現金処理装置の構成を説明する。
【００２０】
（現金処理装置の構成）
図１は、本発明の第１の実施形態による現金処理装置１の外観を示す説明図である。図２は、本発明の第１の実施形態による現金処理装置１の構成を示す説明図である。図１および図２に示したように、本発明の第１の実施形態による現金処理装置１は、操作表示部１１、プリンタ１４、筐体１５、電源部１７、可換型外部記憶装置１９、現金処理部２０および主制御部３０を備える。
【００２１】
操作表示部１１は、図１に示したように現金処理装置１の正面側であって、現金処理部２０の上側に設けられる。操作表示部１１は、操作者による入力操作を受け付ける操作部としての機能、および、操作者へ各種画面を表示する表示部としての機能を包含する。表示部としての機能は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、操作部としての機能は、例えば、上述の各種表示装置に重ねられたタッチパネルにより実現される。なお、表示部および操作部の機能は一体的に構成される代わりに、分離して構成されてもよい。
【００２２】
プリンタ１４は、紙状媒体に情報を印刷して、情報が印刷された紙状媒体を排出する印刷部である。情報が印刷された紙状媒体としては、領収証、後述する入金証および履歴情報の印刷物などが挙げられる。
【００２３】
筐体１５は、電源部１７、現金処理部２０および主制御部３０などの各構成を収納する。
【００２４】
電源部１７は、現金処理装置１の内部に設けられ、外部から供給される商用電源を現金処理装置１内の各部分に供給する。例えば、電源部１７は、現金処理装置１内の部分ごとに、外部からの商用電源を当該部分の稼働に必要な電力に変換し、変換後の電力を当該部分に供給する。
【００２５】
可換型外部記憶装置１９は、主制御部３０とインタフェースを介して接続される。可換型外部記憶装置１９には、例えば、後述する入金履歴を示す履歴情報が書き込まれ得る。
【００２６】
現金処理部２０は、図１および図２に示したように、紙幣入出金口２２、紙幣回収庫２３、鍵穴２３ａ、および紙幣収納庫２４を有する。紙幣入出金口２２は、操作者により紙幣が投入される現金投入口の一例である。紙幣入出金口２２に投入された紙幣は、１枚ずつ分離され、紙幣の収納庫の一例である紙幣収納庫２４に搬送される。紙幣回収庫２３には、紙幣の回収機能の実行時に、紙幣収納庫２４に収納されている紙幣が搬送される。紙幣回収庫２３は施錠されており、鍵穴２３ａを正しい鍵で操作することにより紙幣回収庫２３が解錠される。
【００２７】
また、現金処理部２０は、図２に示したように、制御部２５および機構部２６を有する。機構部２６は、主に紙幣を搬送するための機構および紙幣を鑑別する鑑別部などを有し、制御部２５は、機構部２６の動作を制御する。
【００２８】
主制御部３０は、現金処理装置１の動作全般を制御する。例えば、主制御部３０は、後述する登録機能、運用機能、履歴印刷機能、履歴出力機能および回収機能などを制御する。このような主制御部３０は、図２に示したように、ＣＰＵ（Ｃｅｎｔｒａｌ  Ｐｒｏｃｅｓｓｉｎｇ  Ｕｎｉｔ）、主記憶装置３２および外部記憶装置３３を有する。
【００２９】
このような現金処理装置１は、本発明の各実施形態の動作においては外部サーバなどとの通信および連携は必須でなく、本発明の各実施形態による現金処理装置１は外部サーバなどとの通信および連携無しにスタンドアローンで動作する。
【００３０】
（現金処理装置の動作）
以上、本発明の第１の実施形態による現金処理装置１の構成を説明した。続いて、図３を参照して、本発明の第１の実施形態による現金処理装置１の動作を説明する。
【００３１】
図３は、本発明の第１の実施形態による現金処理装置１の動作を示すフローチャートである。図３に示したように、まず操作表示部１１がメニュー画面を表示する（Ｓ１０１）。メニュー画面は、「登録」、「運用」、「履歴印刷」、「履歴出力」、「回収」および「終了」の各々に対応する選択ボタンを含む。
【００３２】
当該メニュー画面において「登録」が選択されると（Ｓ１０２／Ｙｅｓ）、主制御部３０は登録機能を制御する（Ｓ２００）。メニュー画面において「運用」が選択されると（Ｓ１０３／Ｙｅｓ）、主制御部３０は運用機能を制御する（Ｓ３００）。メニュー画面において「履歴印刷」が選択されると（Ｓ１０４／Ｙｅｓ）、主制御部３０は履歴印刷機能を制御する（Ｓ４００）。メニュー画面において「履歴出力」が選択されると（Ｓ１０５／Ｙｅｓ）、主制御部３０は履歴印刷機能を制御する（Ｓ５００）。メニュー画面において「回収」が選択されると（Ｓ１０６／Ｙｅｓ）、主制御部３０は回収機能を制御する（Ｓ６００）。メニュー画面において「終了」が選択されると（Ｓ１０７／Ｙｅｓ）、主制御部３０は制御を終了する。
【００３３】
以下、登録機能、運用機能、履歴印刷機能、履歴出力機能および回収機能の各々の機能を順次詳細に説明する。
【００３４】
（登録機能）
登録機能は、現金処理装置１が利用される催し物に関する情報などを登録する登録操作を受け付ける機能である。図４を参照して、登録機能について具体的に説明する。
【００３５】
図４は、登録機能を示すフローチャートである。図４に示したように、操作者は、操作表示部１１を操作して入金種別を選択する（Ｓ２０１）。例えば、操作表示部１１は、結婚式に対応する「祝儀」、葬儀に対応する「香典」、飲食会に対応する「会費」などの入金種別の選択肢を表示し、操作者は、これらの選択肢から現金処理装置１が利用される催し物に対応する選択肢を選択してもよい。この選択は、催し物の種別の選択とも言える。
【００３６】
そして、操作者は、操作表示部１１を操作して、運用中に操作表示部１１に表示するための文字列を入力する（Ｓ２０２）。ここまで説明したＳ２０１およびＳ２０２の操作は、催し物に関する情報の設定操作の一例である。なお、Ｓ２０１およびＳ２０２の操作は、催し物の主催者により行われる必要は無く、式場の従業員により行われてもよい。
【００３７】
その後、操作表示部１１は、管理者用パスワードの設定画面を表示し、操作者は、当該管理者用パスワードの設定画面において管理者用パスワードを設定する（Ｓ２０３）。管理者用パスワードは認証情報の一例であり、管理者用パスワードに代えて、氏名または生体情報などが用いられてもよい。
【００３８】
Ｓ２０１〜Ｓ２０３で設定された情報は、主記憶装置３２または外部記憶装置３３に記憶され、運用機能、履歴印刷機能、履歴出力機能および回収機能などにおいて参照される。
【００３９】
（運用機能）
運用機能は、催し物への参加者から現金の入金を受け付ける機能である。図５を参照して、運用機能について具体的に説明する。
【００４０】
図５は、運用機能を示すフローチャートである。運用機能において、操作表示部１１は、運用待ち受け画面を表示する（Ｓ３０１）。運用待ち受け画面は、登録機能において登録された催し物に関する情報を含む。図６は、運用待ち受け画面Ｄ１の具体例である。登録機能において「祝儀」が選択され、「ｘｘ家・ｙｙ家」という文字が入力された場合、図６に示した運用待ち受け画面Ｄ１が表示される。運用待ち受け画面Ｄ１は、「祝儀」が選択されたことに基づく「御祝儀入金機」という表示Ｄ１１、および「ｘｘ家・ｙｙ家」という文字が入力されたことに基づく「ｘｘ家・ｙｙ家」という表示Ｄ１２を含む。
【００４１】
そして、運用待ち受け画面の表示中に終了操作が行われた場合には運用機能が終了する（Ｓ３０２／Ｙｅｓ）。一方、運用待ち受け画面の表示中に画面タッチが検出された場合（Ｓ３０３／Ｙｅｓ）、主制御部３０は入金制御を開始する（Ｓ３０４）。具体的には、主制御部３０は、現金処理部２０に対して入金指示を出力し、現金処理部２０は、当該入金指示に基づいて紙幣入出金口２２のシャッタを開き、紙幣の投入を待つ。その後、現金処理部２０は、紙幣入出金口２２に投入された紙幣を計数すると、計数結果を主制御部３０に通知する。
【００４２】
続いて、主制御部３０は、入金確認画面を操作表示部１１に表示させる（Ｓ３０５）。図７は、入金確認画面Ｄ２の具体例である。図７に示したように、入金確認画面Ｄ２は、入金金額（計数結果）を示す金額表示Ｄ２１、確認ボタンＤ２２、キャンセルボタンＤ２３および追加入金ボタンＤ２４を含む。操作者は、金額表示Ｄ２１に示された入金金額が正しい場合に確認ボタンＤ２２を選択し、入金をキャンセルする場合にキャンセルボタンＤ２３を選択し、追加で入金する場合に追加入金ボタンＤ２４を選択する。
【００４３】
入金確認画面においてキャンセルボタンＤ２３が選択された場合（Ｓ３０６／Ｙｅｓ）、現金処理部２０は、操作者により入金された紙幣を紙幣入出金口２２に戻す返金処理を行い（Ｓ３０７）、Ｓ３０１からの処理が繰り返される。
【００４４】
金額表示Ｄ２１に示された入金金額が正しくなく、追加入金ボタンＤ２４が選択された場合（Ｓ３０８／Ｎｏ）、Ｓ３０４からの処理が繰り返される。一方、入金確認画面において確認ボタンＤ２２が選択された場合（Ｓ３０８／Ｙｅｓ）、主制御部３０は、プリンタ１４に入金証の印刷を指示し、操作表示部１１に案内画面を表示させる（Ｓ３０９）。このとき、主制御部３０は、入金証に加えて領収証の印刷をプリンタ１４に指示してもよい。また、主記憶装置３２または外部記憶装置３３に、当該入金の情報が記憶される。入金証の印刷が完了すると、Ｓ３０１からの処理が繰り返される。
【００４５】
図８は、案内画面Ｄ３の具体例である。図８に示したように、案内画面Ｄ３は、入金証の扱いを案内するメッセージＤ３１を含む。例えば、メッセージＤ３１は、入金証を現金収納袋（結婚式においては、祝儀袋）に入れて受付に渡すことを案内する。操作者は、当該案内画面Ｄ３に従い、入金証を現金収納袋に入れて受付に渡す。入金証は、図８においてイメージＤ３２に示したように、入金金額、入金機番号および入金時刻などの情報を含む。
【００４６】
なお、運用機能における操作者は、催し物への参加者であってもよいし、催し物の主催者側のスタッフであってもよい。例えば、催し物が葬儀である場合、主催者側のスタッフが参列者から受け取った不祝儀袋から紙幣を取り出し、取り出した紙幣を現金処理装置１に入金してもよい。この場合、入金証の印刷、および案内画面の表示は省略されてもよい。
【００４７】
（履歴印刷機能）
履歴印刷機能は、現金処理装置１への現金の入金の履歴を示す履歴情報を印刷する機能である。図９を参照して、履歴印刷機能について具体的に説明する。
【００４８】
図９は、履歴印刷機能を示すフローチャートである。図９に示したように、まず、操作表示部１１がパスワード入力画面を表示し、操作者が管理者用パスワードを入力する（Ｓ４０１）。
【００４９】
そして、主制御部３０は、主記憶装置３２または外部記憶装置３３に記憶されている管理者用パスワードとＳ４０１で入力された管理者用パスワードが一致するか否かを判断する（Ｓ４０２）。２つの管理者用パスワードが一致しない場合（Ｓ４０２／Ｎｏ）、履歴印刷機能は終了する。
【００５０】
２つの管理者用パスワードが一致する場合（Ｓ４０２／Ｙｅｓ）、主制御部３０は、主記憶装置３２または外部記憶装置３３に記憶されている入金の履歴を示す履歴情報をプリンタ１４に印刷させる（Ｓ４０３）。履歴情報の印刷終了後、操作表示部１１が印刷完了を表示し、履歴印刷機能が終了する（Ｓ４０４）。
【００５１】
図１０は、入金の履歴情報の具体例を示す説明図である。図１０に示したように、履歴情報は、入金の取引通番、入金の時刻および入金金額を示す情報を取引ごとに含む。また、履歴情報が印刷された印刷物には、図１０に示したように、図４のＳ２０２で入力された文字列、日時、および入金の合計金額も印刷される。
【００５２】
（履歴出力機能）
履歴出力機能は、入金の履歴情報を可換型外部記憶装置１９に出力する機能である。図１１を参照して、履歴出力機能について具体的に説明する。
【００５３】
図１１は、履歴出力機能を示すフローチャートである。図１１に示したように、まず、操作表示部１１がパスワード入力画面を表示し、操作者が管理者用パスワードを入力する（Ｓ５０１）。
【００５４】
そして、主制御部３０は、主記憶装置３２または外部記憶装置３３に記憶されている管理者用パスワードとＳ５０１で入力された管理者用パスワードが一致するか否かを判断する（５０２）。２つの管理者用パスワードが一致しない場合（Ｓ５０２／Ｎｏ）、履歴出力機能は終了する。
【００５５】
２つの管理者用パスワードが一致する場合（Ｓ５０２／Ｙｅｓ）、主制御部３０は、主記憶装置３２または外部記憶装置３３に記憶されている入金の履歴を示す履歴情報を、インタフェースを介して可換型外部記憶装置１９に出力する（Ｓ５０３）。その結果、可換型外部記憶装置１９に入金の履歴情報を格納するファイルが生成される。このファイルは、例えばＣＳＶ（Ｃｏｍｍａ−Ｓｅｐａｒａｔｅｄ  Ｖａｌｕｅｓ）形式であってもよい。
【００５６】
履歴情報の出力終了後、操作表示部１１が出力完了を表示し、履歴出力機能が終了する（Ｓ５０４）。
【００５７】
（回収機能）
回収機能は、運用機能が実行されている間に入金された紙幣を回収する機能である。図１２を参照して、回収機能について具体的に説明する。
【００５８】
図１２は、回収機能を示すフローチャートである。図１２に示したように、まず、操作表示部１１がパスワード入力画面を表示し、操作者が管理者用パスワードを入力する（Ｓ６０１）。
【００５９】
そして、主制御部３０は、主記憶装置３２または外部記憶装置３３に記憶されている管理者用パスワードとＳ６０１で入力された管理者用パスワードが一致するか否かを判断する（６０２）。２つの管理者用パスワードが一致しない場合（Ｓ６０２／Ｎｏ）、回収機能は終了する。
【００６０】
２つの管理者用パスワードが一致する場合（Ｓ６０２／Ｙｅｓ）、主制御部３０は、現金処理部２０に現金の回収を指示する（Ｓ６０３）。現金処理部２０は、主制御部３０からの指示に基づき、紙幣収納庫２４に収納されている、運用待ち画面Ｄ１に関連付けられて入金された紙幣を、紙幣回収庫２３に搬送する。紙幣回収庫２３への紙幣の搬送が終了すると、操作表示部１１が回収完了を表示し、回収機能が終了する（Ｓ６０４）。
【００６１】
回収機能の終了後、操作者は鍵穴２３ａに所定の鍵を挿入して紙幣回収庫２３を解錠することにより、紙幣回収庫２３を筐体１５から引出し、紙幣回収庫２３から紙幣を取り出すことが可能である。
【００６２】
（作用効果）
以上、本発明の第１の実施形態による現金処理装置１の構成および動作を説明した。本発明の第１の実施形態による現金処理装置１の構成および動作によれば、以下に説明するように、多様な作用効果が得られる。
【００６３】
運用機能の実行に先立って登録機能が実行されることで、運用待ち受け画面Ｄ１に表示される内容、および管理者用パスワードを設定できる。このため、現金処理装置１が利用される催し物に応じて登録機能を実行することで、１つの現金処理装置１を複数の催し物のために容易に利用することが可能である。
【００６４】
現金処理装置１の現金処理部２０が現金の計数を行うことで、受付または幹事が現金を受け取る煩雑さを解消し、さらに、集計の誤りや金額の不一致といったリスクを抑制することができる。現金は現金処理装置１内に保管されるので、盗難および紛失などのリスクも低減可能である。
【００６５】
入金証が印刷され、例えば祝儀袋または不祝儀袋と共に受付に渡すことを促す案内画面Ｄ３が表示されるので、操作者は、当該案内画面Ｄ３に従い入金証を祝儀袋または不祝儀袋と共に受付に渡す。このため、主催者側は、祝儀袋または不祝儀袋に記載された氏名と入金証とを併せて管理することで、後に、各参加者から受け取った現金を把握することが可能である。
【００６６】
入金証の印刷前、または印刷後に、領収書も印刷されることで、受付や幹事が領収書を作成する手間が省かれるという効果も得られる。
【００６７】
履歴印刷機能により、人的に履歴の一覧表を作成する手間が省けるので、受付や幹事の作業効率を向上することが可能である。
【００６８】
履歴出力機能により、別途の情報処理装置において履歴情報に氏名情報などを追加することが可能であるので、氏名情報を含む一覧表を効率的に作成することが可能である。
【００６９】
紙幣の回収には、事前に設定された管理者用パスワードと、鍵穴２３ａに合う鍵が必要であるので、現金の保管に関するセキュリティを向上することが可能である。
【００７０】
現金処理装置１はスタンドアローンで動作し、現金の振込先となる口座を用意する必要もないので、利用者は現金処理装置１を容易に導入できる。小型で安価な現金処理装置１を実現可能である。
【００７１】
（変形例）
以上、本発明の第１の実施形態を説明した。以下では、本発明の第１の実施形態の幾つかの変形例を説明する。なお、以下に説明する各変形例は、単独で本発明の第１の実施形態に適用されてもよいし、組み合わせで本発明の第１の実施形態に適用されてもよい。また、各変形例は、本発明の第１の実施形態で説明した構成に代えて適用されてもよいし、本発明の第１の実施形態で説明した構成に対して追加的に適用されてもよい。
【００７２】
−第１の変形例
例えば、運用機能に釣銭出金機能を実装してもよい。図１３を参照して、釣銭出金機能が実装された変形例による運用機能を説明する。
【００７３】
図１３は、変形例による運用機能を示すフローチャートである。図１３には、図５を参照して説明したＳ３０４〜Ｓ３０８と置換される処理を示している。運用待ち受け画面の表示中に画面タッチが検出された場合（Ｓ３０３／Ｙｅｓ）、操作表示部１１は、金額指定画面を表示し、操作者は当該金額指定画面において指定金額を入力する（Ｓ３５１）。
【００７４】
その後、主制御部３０は入金制御を開始する（Ｓ３０４）。具体的には、主制御部３０は、現金処理部２０に対して入金指示を出力し、現金処理部２０は、当該入金指示に基づいて紙幣入出金口２２のシャッタを開き、紙幣の投入を待つ。その後、現金処理部２０は、紙幣入出金口２２に投入された紙幣を計数すると、計数結果を主制御部３０に通知する。
【００７５】
続いて、主制御部３０は、入金確認画面を操作表示部１１に表示させる（Ｓ３０５）。入金確認画面においてキャンセルボタンＤ２３が選択された場合（Ｓ３０６／Ｙｅｓ）、現金処理部２０は、操作者により入金された紙幣を紙幣入出金口２２に戻す返金処理を行い（Ｓ３０７）、Ｓ３０１からの処理が繰り返される。
【００７６】
一方、入金確認画面において確認ボタンＤ２２の選択により入金金額が確認されると（Ｓ３５２）、主制御部３０は、入金金額が指定金額以上であるか否かを判断する（Ｓ３５３）。入金金額が指定金額未満である場合（Ｓ３５３／Ｎｏ）、Ｓ３０４からの処理が繰り返される。
【００７７】
入金金額が指定金額以上であり（Ｓ３５３／Ｙｅｓ）、入金金額が指定金額に等しい場合（Ｓ３５４／Ｙｅｓ）、図５を参照して説明したＳ３０９の処理が行われる。入金金額が指定金額以上であり（Ｓ３５３／Ｙｅｓ）、入金金額が指定金額に等しくない場合（Ｓ３５４／Ｎｏ）、現金処理部２０は入金金額と指定金額の差分に相当する釣銭を出金し、紙幣入出金口２２のシャッタを開く（Ｓ３５５）。
【００７８】
以上説明したように、変形例による運用機能には釣銭出金機能が実装されるので、操作者が指定金額の相当する紙幣を持ち合わせていなくても、指定金額の入金を行うことが可能である。
【００７９】
なお、運用機能で釣銭出金機能を実現するために、運用機能の開始前に、現金処理部２０に釣銭として用いられる現金が事前に収納される。回収機能においては、事前に現金処理部２０に収納された現金に相当する金額分を回収対象から外すことにより、適切な金額の現金を回収することが可能である。
【００８０】
−第２の変形例
上記では、１の期間には１つの催し物にのみ現金処理装置１が利用されることを想定して現金処理装置１の動作を説明したが、１の期間に複数の催し物に現金処理装置１が利用されてもよい。
【００８１】
例えば、登録機能により、操作者が複数の催し物に関する情報を設定してもよい。そして、運用機能において、操作表示部１１は、複数の催し物の各々に対応する表示を含む運用待ち受け画面を表示し、操作者により選択された表示に対応する催し物のための画面を表示してもよい。履歴印刷機能、履歴出力機能および回収機能の各々においても、操作表示部１１は、複数の催し物の各々に対応する表示を含む運用待ち受け画面を表示し、現金処理装置１は、操作者により選択された表示に対応する催し物について履歴印刷、履歴出力および回収を実行してもよい。
【００８２】
＜２．第２の実施形態＞
次に、本発明の第２の実施形態を説明する。本発明の第２の実施形態による現金処理装置は、紙幣の入金機能に加えて、硬貨の入金機能を有する。以下、図１４および図１５を参照し、第２の実施形態による現金処理装置の構成を説明する。
【００８３】
図１４は、本発明の第２の実施形態による現金処理装置２の外観を示す説明図である。図１５は、本発明の第２の実施形態による現金処理装置２の構成を示す説明図である。図１４および図１５に示したように、本発明の第２の実施形態による現金処理装置２は、操作表示部１１、プリンタ１４、筐体１５、電源部１７、可換型外部記憶装置１９、現金処理部２１および主制御部３０を備える。操作表示部１１、プリンタ１４、筐体１５、電源部１７および可換型外部記憶装置１９の構成は第１の実施形態で説明した通りであるので、操作表示部１１、プリンタ１４、筐体１５、電源部１７および可換型外部記憶装置１９の詳細な説明を省略する。
【００８４】
現金処理部２１は、図１４および図１５に示したように、紙幣入出金口２２、紙幣回収庫２３、鍵穴２３ａ、紙幣収納庫２４、制御部２５および機構部２６に加え、硬貨入金口２７、硬貨出金口２８および硬貨収納庫２９を有する。
【００８５】
硬貨入金口２７は操作者により硬貨が投入される現金投入口の一例である。硬貨入金口２７に投入された紙幣は、硬貨の収納庫である硬貨収納庫２９に搬送される。硬貨出金口２８には、現金の回収機能の実行時、または釣銭の出金時に、硬貨収納庫２９から硬貨が搬送される。
【００８６】
第２の実施形態による現金処理装置２は、このような現金処理部２１を備えるので、操作者は、運用機能の間に、紙幣および硬貨の双方を入金することができる。また、回収機能では、紙幣および硬貨の双方を取り出すことが可能である。
【００８７】
＜３．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８８】
例えば、上記では操作表示部１１と主制御部３０が異なるユニットで構成される例を説明したが、タブレットＰＣおよびパネルコンピュータのように、操作表示部１１と主制御部３０が一体的なユニットに構成されてもよい。
【００８９】
また、本明細書の現金処理装置１の処理における各ステップは、必ずしもフローチャートとして記載された順序に沿って時系列に処理する必要はない。例えば、現金処理装置１の処理における各ステップは、フローチャートとして記載した順序と異なる順序で処理されても、並列的に処理されてもよい。
【００９０】
また、現金処理装置１に内蔵されるＣＰＵ３１、主記憶装置３２などのハードウェアに、上述した主制御部３０の機能を発揮させるためのコンピュータプログラムも作成可能である。また、該コンピュータプログラムを記憶させた記憶媒体も提供される。
【符号の説明】
【００９１】
１、２  現金処理装置
１１  操作表示部
１４  プリンタ
１５  筐体
１７  電源部
１９  可換型外部記憶装置
２０、２１  現金処理部
２２  紙幣入出金口
２３  紙幣回収庫
２３ａ  鍵穴
２４  紙幣収納庫
２５  制御部
２６  機構部
２７  硬貨入金口
２８  硬貨出金口
２９  硬貨収納庫
３０  主制御部
３１  ＣＰＵ
３２  主記憶装置
３３  外部記憶装置
【図１】
2019096203.tif 000003
【図２】
2019096203.tif 000004
【図３】
2019096203.tif 000005
【図４】
2019096203.tif 000006
【図５】
2019096203.tif 000007
【図６】
2019096203.tif 000008
【図７】
2019096203.tif 000009
【図８】
2019096203.tif 000010
【図９】
2019096203.tif 000011
【図１０】
2019096203.tif 000012
【図１１】
2019096203.tif 000013
【図１２】
2019096203.tif 000014
【図１３】
2019096203.tif 000015
【図１４】
2019096203.tif 000016
【図１５】
2019096203.tif 000017